(57)【特許請求の範囲】
【請求項１】
鍵管理サーバから暗号化個人情報を受信する受信手段と、
該受信手段によって受信した暗号化個人情報を記憶する情報記憶部と、
個人情報を放送局に開示することを許可する情報開示許可信号を予め前記鍵管理サーバに送信しておいて、テレビ放送視聴に際して双方向テレビ放送上り回線を介して前記放送局に前記情報記憶部に記憶されている暗号化個人情報を送信する送信手段と
を備えることを特徴とするテレビ受像機。
【請求項２】
鍵管理サーバから暗号化個人情報を受信する受信手段と、
該受信手段によって受信した暗号化個人情報を記憶する情報記憶部と、
個人情報を企業サーバに開示することを許可する情報開示許可信号を予め前記鍵管理サーバに送信しておいて、前記企業サーバが開設するホームページ閲覧に際して前記企業サーバに前記情報記憶部に記憶されている暗号化個人情報を送信する送信手段と
を備えることを特徴とするクライアント端末。
【請求項３】
前記情報記憶部は、クッキーであることを特徴とする請求項２記載のクライアント端末。
【発明の詳細な説明】
【技術分野】
【０００１】
本発明は、双方向テレビ放送を視聴する人の個人情報をテレビ受像機から放送局に安全に送信したり、ホームページにアクセスする人の個人情報をクライアント端末からサイトに安全に送信したりするシステムのための双方向テレビ方式のテレビ受像機及びクライアント端末に関する。
【背景技術】
【０００２】
双方向テレビ方式においては、視聴者に対してアンケートをとったり、視聴者に物品を販売したりすることが行われている。その際に、アンケートであれば、視聴者の属性情報（性別、年令、職業など）を得たうえで、階層別に回答を分析している。物品販売であれば、販売物品の配送先となる住所氏名や支払いのためのクレジット番号などの情報を入手している。視聴者はこれらの情報を必要とされる都度、端末（通常はリモコンを使う）を操作して各情報を入力し、放送局に送信している（例えば、特許文献１参照）。【０００３】
また、近年、インターネット上で様々な企業・個人がホームページを使った広告宣伝活動を行うことが多くなっている。このホームページは不特定多数の人間が閲覧することができるが、企業側からするとホームページの閲覧者の属性を知ることができないために、閲覧者一人ひとりへ向けた情報の発信をすることが難しい。また、閲覧者は、個人情報を提供するのは構わないが、野放しに提供したくはなく、しかるべき管理下で個人情報を提供したい。このような状況で、従来は、各企業が自ホームページに訪れた人に属性情報を質問して、進んで回答してくれる閲覧者の属性情報に関して、自らの責任において、所定の制限の下で管理利用している。
【特許文献１】特開平９−９８４１１号公報
【発明の開示】
【発明が解決しようとする課題】
【０００４】
しかし、このようなテレビの視聴者やホームページの閲覧者の属性情報を取得する方法では、個人は、新たに必要とされる度に自分の属性情報を逐一書き込む面倒があり、企業は面倒な作業をいとわない個人の属性情報を取得することができるにとどまる。【０００５】
本発明は、上記問題点に鑑み、個人が逐一書き込まなくても個人の属性情報をしかるべき管理下で企業側に提供することができる双方向テレビ方式のテレビ受像機及びクライアント端末を提供することを目的とする。
【課題を解決するための手段】
【０００６】
本発明のテレビ受像機は、鍵管理サーバから暗号化個人情報を受信する受信手段と、該受信手段によって受信した暗号化個人情報を記憶する情報記憶部と、個人情報を放送局に開示することを許可する情報開示許可信号を予め前記鍵管理サーバに送信しておいて、テレビ放送視聴に際して双方向テレビ放送上り回線を介して前記放送局に前記情報記憶部に記憶されている暗号化個人情報を送信する送信手段とを備えることを特徴とする。
【０００８】
また、本発明のクライアント端末は、鍵管理サーバから暗号化個人情報を受信する受信手段と、該受信手段によって受信した暗号化個人情報を記憶する情報記憶部と、個人情報を企業サーバに開示することを許可する情報開示許可信号を予め前記鍵管理サーバに送信しておいて、前記企業サーバが開設するホームページ閲覧に際して前記企業サーバに前記情報記憶部に記憶されている暗号化個人情報を送信する送信手段とを備えることを特徴とする。
【０００９】
また、前記情報記憶部は、クッキーであることで、ユーザが特にそのための操作をすることなく個人情報を企業サーバに送信することができる。
【発明の効果】
【００１１】
本発明によれば、個人が逐一書き込まなくても個人の属性情報をしかるべき管理下で企業側に提供することができる。
【図面の簡単な説明】
【００１２】
【図１】図１は、本発明の実施例１によるテレビ受像機及び鍵管理サーバを含むシステム全体の構成を示す図である。
【図２】図２は、鍵管理サーバ、テレビ受像機、及び放送局の動作を説明するフローチャートである。
【図３】図３は、鍵管理サーバの情報記憶部の内容を示す図である。
【図４】図４は、本発明の実施例２によるクライアント端末及び鍵管理サーバを含むシステム全体の構成を示す図である。
【図５】図５は、鍵管理サーバ、クライアント端末、及び企業サーバの動作を説明するフローチャートである。
【発明を実施するための最良の形態】
【００１３】
以下、添付図面を参照しながら本発明を実施するための最良の形態について詳細に説明する。
【実施例１】
【００１４】
図１は、本発明の実施例１によるテレビ受像機及び鍵管理サーバを含むシステム全体の構成を示す図である。本システムは、鍵管理サーバ１、テレビ受像機２、及び放送局３からなる。鍵管理サーバ１は、通信部１０、ＣＰＵ部２０、及び情報記憶部３０からなる。テレビ受像機２は、通信部４０、ＣＰＵ部５０、情報記憶部６０、及びチューナ７０からなる。放送局３は、通信部８０、ＣＰＵ部９０、情報記憶部１００、及び放送設備１１０からなる。【００１５】
鍵管理サーバ１の通信部１０は、テレビ受像機２が鍵管理サーバ１にアクセスできるホームページを開設する。また、通信部１０は、放送局３と接続して、放送局３に後述する暗号解読キーなどの情報を送信する。ＣＰＵ部２０は、暗号解読キー作成手段２１、及び暗号化手段２２からなり、通信部１０及び情報記憶部３０を制御する。情報記憶部３０は、暗号解読キー３１、及び情報開示許可信号３２を記憶する。【００１６】
テレビ受像機２の通信部４０は、鍵管理サーバ１に接続して、鍵管理サーバ１が開設するホームページにアクセスし、情報をやりとりする。また、通信部４０は、双方向テレビ放送の上り回線である電話回線などで放送局３と接続して、暗号化個人情報などの情報を放送局３に送信する。ＣＰＵ部５０は、ブラウザ手段５１、及びテレビ受信ソフト５２からなり、通信部４０、情報記憶部６０、及びチューナ７０を制御する。情報記憶部６０は、暗号化個人情報を記憶する。チューナ７０は、放送局３からの双方向テレビ放送（下り）を受信する。【００１７】
放送局３の通信部８０は、鍵管理サーバ１に接続して、暗号解読キーなどの情報を受信する。また、通信部８０は、双方向テレビ放送の上り回線である電話回線などでテレビ受像機２に接続して、暗号化個人情報などの情報を受信する。ＣＰＵ部９０は、暗号解読手段９１を有し、通信部８０、情報記憶部１００、及び放送設備１１０を制御する。情報記憶部１００は、暗号解読キー１０１、及び個人情報１０２を記憶する。放送設備１１０は、双方向テレビ放送を送信する。【００１８】
図２は、鍵管理サーバ、テレビ受像機、及び放送局の動作を説明するフローチャートである。図３は、鍵管理サーバの情報記憶部の内容を示す図である。まず、テレビ受像機２の通信部４０は、ブラウザ手段５１によって鍵管理サーバ１のホームページにアクセスし、アンケート形式などのガイドに従って、視聴者の個人情報を鍵管理サーバ１に送信する（ステップＳ１１）。つぎに、鍵管理サーバ１の暗号解読キー作成手段２１は、個人情報に関して、例えば３つのレベルの暗号解読キー３１を作成して、受像機と対応付けて、情報記憶部３０に記憶する（図３のキー、Ｌ１、Ｌ２、Ｌ３参照）。例えば、レベル１としては、個人を特定することができないレベルの情報（年令、性別、趣味など）を暗号化し解読できるキー（Ｌ１）。レベル２としては、個人を特定する情報であるが、金銭に関係しない情報（氏名、住所、電話番号、Ｅメールアドレスなど）を暗号化し解読できるキー（Ｌ２）。レベル３としては、金銭に関係する情報（銀行口座番号、クレジット番号など）を暗号化し解読できるキー（Ｌ３）。そして、暗号化手段２２は、テレビ受像機２から受信した個人情報をその受像機に対応した暗号解読キー３１によって暗号化する（ステップＳ１２）。通信部１０は、暗号化された個人情報をテレビ受像機２に送信する（ステップＳ１３）。テレビ受像機２の情報記憶部６０は、鍵管理サーバ１から受信した暗号化個人情報を記憶する（ステップＳ１４）。ここで、視聴者がテレビ受像機２を操作することによって、通信部４０はＣＰＵ部５０に制御されて、Ａ社、Ｂ社、Ｃ社などの放送局別に所定レベルで個人情報を公開することを許可する信号を鍵管理サーバ１に送信する（ステップＳ１５）。鍵管理サーバ１の通信部１０が、テレビ受像機２から許可信号を受信すると、情報記憶部３０は、その受像機がその放送局に個人情報を公開するレベルを情報開示許可信号３２（Ｌ０〜Ｌ３）として記憶し、通信部１０は、各放送局３に対応する情報開示許可レベルの暗号解読キーをその放送局３に送信する（ステップＳ１６）。ここで、公開を許可しないレベルＬ０に対してはキーを送信せず、レベルＬ１の公開に対してはＬ１のキーを送信し、レベルＬ２の公開に対してはＬ１及びＬ２のキーを送信し、レベルＬ３の公開に対してはＬ１〜Ｌ３のすべてのキーを送信する。これによって放送局３は公開の各レベルに応じた個人情報を解読することができる。放送局３は、鍵管理サーバ１から受信した暗号解読キー１０１を情報記憶部１００にテレビ受像機２と対応づけて記憶する（ステップＳ１７）。つぎに、テレビ受像機２が放送局３の放送を視聴する際に、双方向テレビ放送の上り回線を使って情報記憶部６０に記憶している暗号化個人情報を放送局３に送信すると（ステップＳ１８）、放送局３は、受信した暗号化個人情報を、予め記憶している暗号解読キー１０１によってそのレベルに応じた範囲で解読して（ステップＳ１９）、解読した個人情報１０２を情報記憶部１００にテレビ受像機２と対応づけて記憶する（ステップＳ２０）。これにより視聴者は逐一自分の個人情報をキー入力せずに予め情報記憶部６０に記憶されている暗号化個人情報を送信する操作をするだけで、自分の意図する範囲の個人情報を放送局３に送信することができる。そして、放送局３は、視聴者の意図する範囲で視聴者の個人情報を視聴者と対応づけて取得し、記憶することができる。
【実施例２】
【００１９】
図４は、本発明の実施例２によるクライアント端末及び鍵管理サーバを含むシステム全体の構成を示す図である。本システムは、鍵管理サーバ４、クライアント端末５、及び企業サーバ６からなる。鍵管理サーバ４は、通信部２１０、ＣＰＵ部２２０、及び情報記憶部２３０からなる。クライアント端末５は、通信部２４０、ＣＰＵ部２５０、及び情報記憶部２６０からなる。企業サーバ６は、通信部２７０、ＣＰＵ部２８０、及び情報記憶部２９０からなる。【００２０】
鍵管理サーバ４の通信部２１０は、クライアント端末５が鍵管理サーバ４にアクセスできるホームページを開設する。また、通信部１０は、企業サーバ６と接続して、企業サーバ６に後述する暗号解読キーなどの情報を送信する。ＣＰＵ部２２０は、暗号解読キー作成手段２２１、及び暗号化手段２２２からなり、通信部２１０及び情報記憶部２３０を制御する。情報記憶部２３０は、暗号解読キー２３１、及び情報開示許可信号２３２を記憶する。【００２１】
クライアント端末５の通信部２４０は、鍵管理サーバ４に接続して、鍵管理サーバ４が開設するホームページにアクセスし、情報をやりとりする。また、通信部２４０は、企業サーバ６が開設するホームページにアクセスし、クッキーの機能を使って暗号化個人情報などの情報を企業サーバ６に送信する。ＣＰＵ部２５０は、ブラウザ手段２５１を有し、通信部２４０、及び情報記憶部２６０を制御する。情報記憶部２６０は、クッキー２６１のためのメモリ領域を有し暗号化個人情報を記憶する。【００２２】
企業サーバ６の通信部２７０は、鍵管理サーバ４に接続して、暗号解読キーなどの情報を受信する。また、通信部２７０は、ホームページを開設してクライアント端末５のアクセスを受けて、クッキーの機能を使って暗号化個人情報などの情報を受信する。ＣＰＵ部２８０は、暗号解読手段２８１を有し、通信部２７０、及び情報記憶部２９０を制御する。情報記憶部２９０は、暗号解読キー２９１、及び個人情報２９２を記憶する。【００２３】
図５は、鍵管理サーバ、クライアント端末、及び企業サーバの動作を説明するフローチャートである。まず、クライアント端末５の通信部２４０は、ブラウザ手段２５１によって鍵管理サーバ４のホームページにアクセスし、アンケート形式などのガイドに従って、ユーザの個人情報を鍵管理サーバ４に送信する（ステップＳ２１）。つぎに、鍵管理サーバ４の暗号解読キー作成手段２２１は、実施例１と同様にして、個人情報に関して、例えば３つのレベルの暗号解読キー２３１を作成して、クライアント端末５と対応付けて、情報記憶部２３０に記憶する。そして、暗号化手段２２２は、クライアント端末５から受信した個人情報をそのクライアント端末に対応した暗号解読キー２３１によって暗号化する（ステップＳ２２）。通信部２１０は、暗号化された個人情報をクライアント端末５に送信する（ステップＳ２３）。クライアント端末５の情報記憶部２６０は、鍵管理サーバ４から受信した暗号化個人情報をクッキー２６１に記憶する（鍵管理サーバ４からクライアント端末５に暗号化個人情報を送信する際にクッキーの機能を使えば直接クッキー２６１に記憶することができる。）（ステップＳ２４）。ここで、ユーザがクライアント端末５を操作することによって、通信部２４０はＣＰＵ部２５０に制御されて、企業サーバ別に所定レベルで個人情報を公開することを許可する信号を鍵管理サーバ４に送信する（ステップＳ２５）。鍵管理サーバ４の通信部２１０が、クライアント端末５から許可信号を受信すると、情報記憶部２３０は、そのクライアント端末５がその企業サーバ６に個人情報を公開するレベルを情報開示許可信号２３２（Ｌ０〜Ｌ３）として記憶し、通信部２１０は、各企業サーバ６に対応する情報開示許可レベルの暗号解読キーをその企業サーバ６に送信する（ステップＳ２６）。これによって企業サーバ６は公開の各レベルに応じた個人情報を解読することができる。企業サーバ６は、鍵管理サーバ４から受信した暗号解読キー２９１を情報記憶部２９０にクライアント端末５と対応づけて記憶する（ステップＳ２７）。つぎに、クライアント端末５が企業サーバ６のホームページにアクセスして閲覧する際に、クッキーの機能を使ってクッキー２６１に記憶している暗号化個人情報を企業サーバ６に送信すると（ステップＳ２８）、企業サーバ６は、受信した暗号化個人情報を、予め記憶している暗号解読キー２９１によってそのレベルに応じた範囲で解読して（ステップＳ２９）、解読した個人情報１０２を情報記憶部１００にクライアント端末５と対応づけて記憶する（ステップＳ３０）。これによりユーザは逐一自分の個人情報をキー入力せずに予めクッキー２６１に記憶されている暗号化個人情報を送信する操作をするだけで（実際には単にホームページを閲覧する操作をするだけでよい。）、自分の意図する範囲の個人情報を企業サーバ６に送信することができる。そして、企業サーバ６は、ユーザの意図する範囲でユーザの個人情報をユーザと対応づけて取得し、記憶することができる。【００２４】
なお、本発明は上記実施例に限定されるものではない。【００２５】
クライアント端末は携帯電話であってもよい。この場合、現在は携帯電話のブラウザにクッキー機能がないが、同じ機能を構築すればよい。この携帯電話はＩＰ（Internet Protocol）携帯電話であってもよい。【００２６】
企業サーバは、法律的な企業が開設するホームページのためのサーバである必要はなく、例えば個人が開設するホームページのためのサーバなどであってもよい。【００２７】
テレビ受像機又はクライアント端末から鍵管理サーバに、個人情報、及び、個人情報公開許可信号を送信するのに代えて、普通郵便で行ってもよい。
【図１】
0005075410.tif 000002
【図２】
0005075410.tif 000003
【図３】
0005075410.tif 000004
【図４】
0005075410.tif 000005
【図５】
0005075410.tif 000006